【事件の表示】
　平成　５年特許願第１５３７３４号「穀粒乾燥機」拒絶査定不服審判事件〔平成　７年　１月１７日出願公開、特開平　７−　１２４６４〕について、次のとおり審決する。
【結　論】
　本件審判の請求は、成り立たない。
【理　由】
１．手続の経緯・本願発明
　本願は、平成５年６月２４日の出願であって、その請求項１に係る発明は、平成１４年２月１５日付けの手続補正書により補正された明細書の記載からみて、
「 上部の穀粒貯留室８から下部の穀粒乾燥室９へ穀粒を繰出し流下させながら、熱風装置４から発生する乾燥熱風を作用させて乾燥すべく設け、水分センサ２の検出水分が仕上目標水分に達すると燃焼系出力を停止し、この燃焼系出力停止時から一定時間経過後上記乾燥熱風を流通すべく作動する排風機１６並びに穀粒を循環流動させる繰出バルブ１２，１２及び昇穀機２６が停止状態となるよう構成し、上記燃焼系出力停止時から上記排風機１６等が停止状態に至る間、当該停止状態に達するまでの時間を表示することを特徴とする穀粒乾燥機。」にあるものと認める。
　なお、請求項１には「上部の穀粒貯留室７から下部の穀粒乾燥室８へ」と記載されているが、発明の詳細な説明、図面の簡単な説明の【符号の説明】及び図面の記載からみて、符号「７」、「８」は各々「８」、「９」の誤記であり、「上部の穀粒貯留室８から下部の穀粒乾燥室９へ」の誤記と認め、本願の特許請求の範囲の請求項１に係る発明（以下、これを「本願発明」という）を上記のように認定した。
　
２．引用刊行物　
　これに対し、原査定の拒絶の理由に引用された実願昭６２−１６５７７９号（実開平１−７００９１号）のマイクロフィルム（以下、これを「刊行物１」という）には、穀物乾燥機の表示装置に関して、
「(1)  Ａ１  内部に収容した穀物に熱風を浴びせる乾燥室と、
　Ａ２  穀物を非通風状態で収容して調質を行う貯留室と、
　Ａ３  前記乾燥室と貯留室とに穀物を循環させる循環機構と、
　Ａ４  乾燥中の穀物の水分を自動的に測定する水分計と、
　Ａ５  設定した時間の経過を検知するタイマーと、
　Ａ６  前記水分計又はタイマーからの信号により乾燥機の運転をオンオフ制御する制御部と、
　Ａ７  を有する穀物乾燥機において、
　Ｂ１  乾燥機の運転制御プログラムを類型化した複数のパターンを有するパターン表示部と、
　Ｂ２  前記パターン表示部における特定のパターンを選択する選択スイツチと、
　Ｂ３  この選択スイツチをオンすることでその特定パターンを指示する指示機構と、
　Ｂ４  前記プログラムを構成する要素ごとに時間設定を行う時間設定キーと、
　Ｂ５  前記時間設定キーで設定された時間を表示する表示器と、
　Ｂ６  前記設定された時間をもつて動作するプログラムにセツトするセツトキーと、
　Ｂ７  前記セツトキーでセツトされた時間を修正変更するため、一旦解除する修正キーと、
　Ｂ８  を具備したことを特徴とする穀物乾燥機の表示装置。」（実用新案登録請求の範囲の請求項１）、
「運転制御プログラムの時間的経過、つまり予定時間から経過時間を差し引くことにより残りの時間を算定するなどして、これを前記表示器によって表示される。」（明細書５頁１４〜１７行）、
「図において、符号１で示す穀物乾燥機は、一般に使用されている循環型のもので、上から非通気性の貯留室２と、これに連設した乾燥室３及び集穀室４とを順に積み重ねて構成する本体の側方に揚穀機５を立設してなるものである。前記乾燥室３は、その下端部に開閉弁（図示しない）を設けて、上部の貯留室２から流下する穀物を所定の速度で通過せしめるとともに、前方に装着したバーナ６から後方に装着した排風機７に向けて熱風を流通させるしくみとし、その内部で穀物は熱風を浴びて乾燥する。前記集穀室４は、前記開閉弁から繰り出された穀物を、底部のコンベヤ８により一側に搬送し、連結した揚穀機５に供給する構成である。９は揚穀機５からの穀物を横送りし、前記貯留室２内に供給するための上部コンベヤである。さらに、１０は揚穀機５に装着され、乾燥中の穀物の水分を測定する水分計であり、１１は乾燥機の前面に設け、運転操作を行う制御盤で、その内部には図示しないが計時機構（機械的なタイマー、もしくは、クロック発振機構とカウンターからなる電子タイマーでもよい）を包含している。」（明細書５頁２０行〜７頁１行）、
「目標とする停止水分値を設定する水分設定スイッチ１４」（明細書７頁４〜５行）、
「測定した水分値ないしは、乾燥終了までの予定運転時間をも表示する水分値表示部２２」（明細書７頁１４〜１５行）、
「このプログラム表示器２３は、乾燥機の運転制御プログラムを５つの類型に分類してこれらを視覚的に分かりやすいパターンで表示するようにしたパターン表示部３０と、各プログラムがどれだけの時間設定となっているかを明確に表示する表示器３１とからなる。」（明細書７頁１７行〜８頁２行）、
「この表示器３１の左右の表示時間は、前記パターン表示部３０の各要素表示に対応するものであるが、この表示器３１と並列に記号配列３２を設け、これにパターン表示部３０の各要素表示と同様に、各記号を選択的に指示して、一層分かりやすくしてある。すなわち記号配列３２は上段に「乾燥」表示記号３０ａを３個横一列に配置し、これと平行に下段に「休止」表示記号３０ｂを２個横一列に配置し、その右に「停止」記号３０ｃを設ける。又、「通風乾燥」記号３０ｄを全体の下部に配置してある。そして横列に３個並ぶ記号の左端が前段で前記表示器３１ａに、中央が２段目で前記表示器３１ｂに対応するように配置する。」（明細書１０頁６〜１８行）、
「次いで乾燥を行う。まず、運転制御プログラムの選定を行うに、選定スイッチ３３で２回押すとＮＯ。３のお休みタイマーＩのパターンを選定する。この際表示灯が点灯して「３お休みタイマーＩ」の欄を明かるくして選択した内容を指示する。これは同時に記号配列３２においても表示記号を選択して指示するよう点灯する。そこで設定スイッチ３４及び３５を操作して乾燥時間を選定する。確認後よければセットスイッチ３６で設定する。次いで、設定スイッチ３４及び３５を操作して休止時間を選定する。これも確認後セットスイッチ３６を押して設定する。誤まりがあれば修正スイッチ３７を押して設定を解除してやり直す。この設定時間はそれぞれ表示器３１ａ，３１ｂに数字表示される。」（明細書１１頁４〜１７行）、
「さらに水分計スイッチ２０を押すと、水分計１０が作動し、所定の時間間隔で自動的に穀物の水分を測定する。続いてタイマーが当初設定した乾燥時間の経過を検知したとすると、表示器３１ａの表示はゼロと表示が変り（時間の経過とともに表示時間を変えるために）、乾燥機１はバーナ６、その他の運転を休止する。そして、機内の全ての穀物に対し、調質が行われる。続いてタイマーが休止時間の経過を検知すると乾燥機１は運転を再開する。このとき、表示器３１ｂはゼロ表示となる。そして水分計１０が停止水分値に達したことを検知すると乾燥機の運転が全部止まる。」（明細書１２頁５〜１６行）、
「プログラムの進行具合が時間表示が変ることから一目見て理解でき、誤操作を生じるおそれがない。などの効果を奏する。」（明細書１３頁１４〜１７行）ことが図面とともに記載されている。
　
　同じく、刊行物１と共に同引用された実願昭５９−１７１８１０号（実開昭６１−８６６９９号）のマイクロフィルム（以下、これを「刊行物２」という）には、穀物乾燥機に関して、
「穀物水分値が目標水分値になるまで熱風発生機を運転して熱風乾燥するよう構成すると共に、穀物水分値が目標水分値に達すると前記熱風発生機の熱源をオフして送風機を穀物温度が目標温度になるまで継続運転するよう構成した穀物乾燥機。」（実用新案登録請求の範囲）、
「第１図では、比較器４が第２図ａのように目標水分値に達したことを検出して第２図のｂ、ｃのように熱源６だけをオフする（時刻Ｔ１）。８は比較器で、循環中の穀物温度を検出する温度センサ９の検出温度が目標温度に達したことを検出して、熱源６のオフ後も継続運転していた送風機７をオフする（時刻Ｔ２）。このように目標水分値までの乾燥が終了すると、直ちにその時点（時刻Ｔ１）から送風機７による送風を循環中の穀物に接触させて強制空冷するため、籾摺しても肌ずれが生じない温度にまで短時間で冷却できる。」（明細書３頁１２行〜４頁４行）ことが図面とともに記載されている。
　
３．対比　
　上記の記載及び図面の記載からして、刊行物１には、次の発明が記載されているものと認められる。
　上部の貯留室２から下部の乾燥室３へ穀物を繰出し流下させながら、バーナ６から発生する熱風を浴びせて乾燥させ、上記熱風を流通すべく作動する排風機７並びに穀物を繰り出し循環させる開閉弁及び揚穀機５を設け、乾燥終了までの予定時間をも表示する水分表示部を有し、また運転制御プログラムの時間的経過、つまり予定時間から経過時間を差し引くことにより残りの時間を算定するなどして、これを表示器によって表示し、水分計１０が目標とする停止水分値に達したことを検知すると乾燥機の運転が全部止まるパターンを有する穀物乾燥機。　
　
　そこで、本願発明と刊行物１に記載された発明とを対比すると、刊行物１に記載された「貯留室２」、「乾燥室３」、「バーナ６から後方に装着した排風機７に向けて熱風を流通させるしくみ」、「熱風」、「水分計」、「目標とする停止水分値」、「バーナ６」、「排風機７」、「開閉弁」、「揚穀機５」、「残りの時間を表示器によって表示し」、「穀物乾燥機」は、それぞれ本願発明の「穀粒貯留室」、「穀粒乾燥室」、「熱風装置４」、「乾燥熱風」、「水分センサ」、「仕上目標水分」、「燃焼系出力」、「排風機」、「繰出バルブ」、「昇穀機」、「時間を表示する」、「穀粒乾燥機」に相当するから、両者は、
「上部の穀粒貯留室から下部の穀粒乾燥室へ穀粒を繰出し流下させながら、熱風装置から発生する乾燥熱風を作用させて乾燥すべく設け、水分センサの検出水分が仕上目標水分に達すると燃焼系出力を停止し、上記乾燥熱風を流通すべく作動する排風機並びに穀粒を循環流動させる繰出バルブ及び昇穀機が停止状態となるよう構成し、上記排風機等が停止状態に至る間、当該停止状態に達するまでの時間を表示する穀粒乾燥機。」
である点で一致し、以下イ、ロの点で両者は相違する。
　
イ．水分センサの検出水分が仕上目標水分に達したとき、本願発明が、燃焼系出力停止時から一定時間経過後に排風機、繰出バルブ及び昇穀機を停止状態となるようにしたのに対し、刊行物１には乾燥機の運転が全部止まることは記載されているものの、燃焼系出力停止時から一定時間経過後に排風機、繰出バルブ及び昇穀機を停止状態となるようにしたことの明示はない点。
　
ロ．本願発明が、燃焼系出力停止時から上記排風機１６等が停止状態に至る間、当該停止状態に達するまでの時間を表示するのに対し、刊行物１に記載された発明は、操作開始時から排風機等の停止状態にまでの時間の表示はするものの、燃料系出力停止時から時間の表示をするものではない点。
　
　以下、これらの相違点について検討する。
　
・相違点イについて
　刊行物２には、穀物水分値が目標水分値に達すると熱風発生器の熱源だけをオフにして送風機を継続運転して穀物を循環させ乾燥した後に送風機を停止することが記載されており、また、穀物乾燥において、燃料供給を停止し、その一定時間経過後に排風機等を停止した点は、この出願前周知の事項｛例えば、特開昭６３−３０２２８６号公報〔２頁右下欄１６〜１８行〕、特開昭６０−１９４２７６平号公報〔３頁右上３〜７行〕、実願昭６０−３３９９４号（実開昭６１−１５１１９４号）のマイクロフィルム〔明細書１４頁１〜６行、第５図（ａ）（ｂ）〕参照｝であり、刊行物１に記載の発明において、目標水分値検知により乾燥機を停止するに際し、全てを同時に停止するものではなく、本願発明のように、燃焼系出力停止時から一定時間経過後に排風機、繰出バルブ及び昇穀機を停止状態となるように構成することは当業者が適宜採用する設計的事項である。
　
・相違点ロについて
　刊行物１には「乾燥」、「休止」、「通風」等各工程を記号配列３２で選択的に指示して表示し、かつ各工程毎の残時間及び全体の残時間を表示することで、プログラムの進行具合が時間表示が変ることから一目見て理解できるという効果を奏することが記載されている。してみれば、刊行物１に記載された発明において、上記相違点イで述べたように刊行物２及び周知事項を適用して燃焼系出力停止時から一定時間経過後に排風機、繰出バルブ及び昇穀機を停止状態にするに際して、これを前記「乾燥」、「休止」、「通風」とは別の１つの工程（実施例では「ポストパージ中」）として追加して「乾燥」、「休止」、「通風」工程と同様に、記号配列で指示し残時間を表示するようにすることは、当業者ならば容易に想到し得たことである。
　
　そして、本願発明が奏する効果は各刊行物に記載された発明及び周知事項から予測できることである。
     
４．むすび　
　したがって、本願発明は、刊行物１、２に記載された発明及び周知事項に基づいて当業者が容易に発明をすることができたものであるから、特許法第２９条第２項の規定により特許を受けることができない。
　よって、結論のとおり審決する。